(57)【要約】      （修正有）【課題】米の計量と、米研ぎと、研ぎ汁の水切りと、の全ての機能を兼ね備え、米研ぎの作業効率を飛躍的に高めることのできる洗米容器を提供する。【解決手段】洗米容器１は、上部開口部２１を備えた容器本体２と、上部開口部２１を開閉するように容器本体２に着脱自在に組み付け可能な蓋体３と、を備える。容器本体２の底部２２又は側壁２３には、米粒を研ぐための液体の通過は許容するが米粒の通過は許容しない多数の貫通スリット２４が設けられる。蓋体３の外側面３１には、蓋体３又は蓋体３に組み付けられた状態の容器本体２を操作するための操作ハンドル３２が設けられるとともに、蓋体３の内側面には米粒を受け入れて計量可能な収容部が設けられる。蓋体３が容器本体２に組み付けられて上部開口部２１を閉じた状態では、蓋体３は、上部開口部２１から米粒のみならず米粒を研ぐための液体の漏出を完全に防ぐ。【選択図】図１
0003190093.tif 000002
【実用新案登録請求の範囲】
【請求項１】
上部開口部を備えた容器本体と、
前記開口部を開閉するように前記容器本体に着脱自在に組み付け可能な蓋体と、を備えた洗米容器であって、かつ、
前記容器本体の底部又は側壁の少なくとも一方には、米粒を研ぐための液体の通過は許容するが米粒の通過は許容しない多数の貫通スリットが設けられ、
前記蓋体の外側面には、該蓋体、又は該蓋体に組み付けられた状態の前記容器本体、を操作するための操作ハンドルが設けられるとともに、該蓋体の内側面には米粒を受け入れて計量可能な収容部が設けられ、
前記蓋体が前記容器本体に組み付けられて前記開口部を閉じた状態では、該蓋体は、前記開口部から米粒のみならず米粒を研ぐための液体の漏出を完全に防ぐことを特徴とする洗米容器。
【請求項２】
前記容器本体の内壁には、内側に突出した複数の攪拌用リブが設けられていることを特徴とする請求項１に記載の洗米容器。
【請求項３】
前記蓋体の前記内側面又は前記容器本体の内壁に米粒を計量するための目盛が設置されていることを特徴とする請求項１又は２に記載の洗米容器。
【請求項４】
前記貫通スリットの短幅が０．５ｍｍ〜１．５ｍｍであることを特徴とする請求項１〜３のいずれかに記載の洗米容器。
【請求項５】
前記容器本体が、円筒体状、又は、上部が切り取られた円錐体状或いは球体状を成し、７ｃｍ〜１３ｃｍの直径と５ｃｍ〜１５ｃｍの高さとを有することを特徴とする請求項１〜４のいずれかに記載の洗米容器。
【請求項６】
前記蓋体の前記操作ハンドルが、前記容器本体の中心軸上に設けられることを特徴とする請求項５に記載の洗米容器。
【考案の詳細な説明】
【技術分野】
【０００１】
本考案は、一般家庭にて米研ぎを行うための洗米容器に関し、より詳細には、米の計量と、米研ぎと、研ぎ汁の水切りと、の全ての機能を兼ね備えた洗米容器に関するものである。
【背景技術】
【０００２】
一般家庭にて米を研ぐ場合、先ず、米を計量して調理用ボールや炊飯器内釜等の容器に入れ、その後、その容器内に水を注ぎ、水中に手を入れて米を研ぎ、研ぎ汁を捨てることを数回繰り返すことが通常、行われている。しかしながら、この従来の方法では、米研ぎの作業効率が悪い（問題点１）、誤って米粒が流出してしまう危険がある（問題点２）、水を充分に有効利用していない（問題点３）、この作業の為に手が冷える（冬季は特に問題となる）（問題点４）、といった様々な問題点が指摘されている。
【０００３】
こうした問題点に対処した先行技術として、例えば、特許文献１に示すような棒状体の米研ぎ器や、特許文献２に示すボールや内釜等の開口部付近の内壁に着脱可能なクリップタイプの洗米流出防止具が開示されている。しかしながら、前者の棒状体によって上記（４）の問題に対し多少の改善が図られ、一方、後者のクリップによって上記（２）の問題に対して多少の改善が図られるが、一つの道具で上述の全ての問題を解決するものではない。
【０００４】
また、特許文献３や特許文献４に示すような洗米容器も開示されている。より詳しくは、特許文献３には、２つのボール型ザルを上下に着脱自在に組み合わせた洗穀器であり、ザル内に米を入れ、一度水に浸して水を切った後に、洗穀の為にこれを揺動して使うものが開示されている。
【０００５】
しかしながら、特許文献３では、一度水を切って（水分を含ませた状態にして）、空中で洗穀器を揺動させるものであり、その揺動作業中に研ぎ汁が洗穀器の中心から四方八方へ飛散してしまう恐れがある（問題点５）。また、研ぎ汁を洗い流す際には、洗穀器へ直に新たな水を投入するか、洗穀器自体を、水で充たされた別の大きなボール内に浸すことが必要になるものと想像する。また、ザル内は簡素な球状の網だけで構成されているので、揺動の際に充分な米研ぎが行われるかどうかも疑問である。
【０００６】
一方、特許文献４は、鍋タイプの洗米容器であり、その蓋の一部には水を通す網が配置されたものが開示されている。なお、その使用方法として、米を入れた鍋本体に蓋をし、その蓋の網を通して水を入れ、取っ手を持ちながら洗米容器内の米と水とを攪拌して米研ぎを行う。そして、鍋内に投入した水を使って米研ぎ作業を行い、研ぎ汁が白く濁ったら網から注ぎ出し、新たな水を投入して前述の米研ぎ作業を繰り返すものである。
【０００７】
しかしながら、特許文献４の洗米容器も、水及び米の攪拌作業中に網から研ぎ汁が飛散する恐れがあるだけでなく（前述の問題点５と同様の問題）、繰り返しの米研ぎ工程において、研ぎ汁が白く濁れば、その都度、網から容器内に新たな水を投入する必要があるため、米研ぎの作業効率は芳しくないものと考えられる（前述の問題点１と同様の問題）。
【先行技術文献】
【特許文献】
【０００８】
【特許文献１】登録実用新案第３０７４８４４号公報
【特許文献２】特開２００６―０６８２６８号公報
【特許文献３】特開２００２―３５５１８１号公報
【特許文献４】特開平０８―２３８１８７号公報
【考案の概要】
【考案が解決しようとする課題】
【０００９】
本考案は、このような従来の実情に鑑みて提案されたものであり、従来の容器が有する欠点を排除した洗米容器を提供することを目的とする。すなわち、本考案は、米の計量と、米研ぎと、研ぎ汁の水切りと、の全ての機能を兼ね備え、米研ぎの作業効率を飛躍的に高めることのできる洗米容器を提供することを目的とする。
【課題を解決するための手段】
【００１０】
本考案者は、鋭意検討した後、蓋体を、米を計量するためにお椀状に（若しくは収容部を）形成するとともに、その外側面には操作ハンドルを設け、一方、容器本体の側壁等に多数のスリットを設け、蓋体と容器本体とを着脱自在に組み付けられるように構成すれば、上記の目的を実現することを見出し、本考案を完成するに至った。
【００１１】
すなわち、本考案は、少なくとも次の構成・特徴を採用するものである。
【００１２】
（態様１）
上部開口部を備えた容器本体と、
前記開口部を開閉するように前記容器本体に着脱自在に組み付け可能な蓋体と、を備えた洗米容器であって、かつ、
前記容器本体の底部又は側壁の少なくとも一方には、米粒を研ぐための液体の通過は許容するが米粒の通過は許容しない多数の貫通スリットが設けられ、
前記蓋体の外側面には、該蓋体、又は該蓋体に組み付けられた状態の前記容器本体、を操作するための操作ハンドルが設けられるとともに、該蓋体の内側面には米粒を受け入れて計量可能な収容部が設けられ、
前記蓋体が前記容器本体に組み付けられて前記開口部を閉じた状態では、該蓋体は、前記開口部から米粒のみならず米粒を研ぐための液体の漏出を完全に防ぐことを特徴とする洗米容器。
（態様２）
前記容器本体の内壁には、内側に突出した複数の攪拌用リブが設けられていることを特徴とする態様１に記載の洗米容器。
（態様３）
前記蓋体の前記内側面又は前記容器本体の内壁に米粒を計量するための目盛が設置されていることを特徴とする態様１又は２に記載の洗米容器。
（態様４）
前記貫通スリットの短幅が０．５ｍｍ〜１．５ｍｍであることを特徴とする態様１〜３のいずれかに記載の洗米容器。
（態様５）
前記容器本体が、円筒体状、又は、上部が切り取られた円錐体状或いは球体状を成し、７ｃｍ〜１３ｃｍの直径と５ｃｍ〜１５ｃｍの高さとを有することを特徴とする態様１〜４のいずれかに記載の洗米容器。
（態様６）
前記蓋体の前記操作ハンドルが、前記容器本体の中心軸上に設けられることを特徴とする態様５に記載の洗米容器。
【考案の効果】
【００１３】
本考案の洗米容器は、米の計量と、米研ぎと、研ぎ汁の水切りと、の全ての機能を兼ね備えているため、米研ぎの作業効率を飛躍的に高めることができる。
【図面の簡単な説明】
【００１４】
【図１】実施例の洗米容器を示した分解斜視図である。
【図２】図１とは異なる方向から観た分解斜視図である。
【図３】構成部品を組み付けた状態の洗米容器の斜視図である
【図４】図３のＡ−Ａ線で洗米容器を破断した断面図である。
【図５】図３のＢ−Ｂ線で洗米容器を破断した断面図である。
【考案を実施するための形態】
【００１５】
以下、本考案を図面に示す実施の形態に基づき説明するが、本考案は、下記の具体的な実施形態に何等限定されるものではない。
【実施例】
【００１６】
（洗米容器の概略）
本考案の実施例に係る洗米容器１は、図１〜図５に示すように、上部開口部２１を備えた容器本体２と、この上部開口部２１を開閉するように容器本体２に着脱自在に組み付け可能な蓋体３と、を備える。なお、各構成部品２，３の原材料は特に限定されないが、計量性や生産コスト等の観点から、樹脂が好ましい。
【００１７】
（容器本体の構成）
容器本体２の底部２２又は側壁（図示では外周壁）２３の少なくとも一方には、米粒（図示せず）を研ぐための液体（図示せず）の通過は許容するが該米粒の通過は許容しない多数の貫通スリット２４が設けられている。貫通スリット２４の当該機能を達成するために、貫通スリット２４の短幅は、０．５ｍｍ〜１．５ｍｍであることが好ましい。
【００１８】
なお、底部２２は平坦な形状を成すことが好ましく、これにより、容器本体２ひいては洗米容器１を、テーブルの面等に安定して立設させることができる。この理由から、台座部２２ｓがさらに設けられてもよい（例えば、図２及び図４を参照）。
【００１９】
また、容器本体２の内壁２５には、内側に突出した複数（図５では３つ）の攪拌用リブ２６が設けられていることが好ましく、これにより、容器本体２が回転・揺動されたときに、容易本体２内の水の流れがよく乱れ（乱流が起こり）、米粒が水と良く攪拌されるとともに、内壁２５や攪拌用リブ２６とも良く衝突し、米粒同士が摩擦するようになるため、米研ぎの効果を飛躍的に高めることができる。なお、複数の攪拌用リブ２６は、内壁２５上に均等に配置されていることが上記米研ぎ効果の面から好ましく、図５では、中心軸Ｏを基点として円周方向に約１２０°毎にずらした位置に配置されている。
【００２０】
なお、容器本体２や蓋体３の形状・寸法等は限定されないが、以下の観点から下記形状や寸法は好ましい。具体的には、容器本体２は、円筒体状（図示せず）又は上部が切り取られた円錐体状（図示）或いは球体状（図示せず）を成し、７ｃｍ〜１３ｃｍの直径（外径）と、５ｃｍ〜１５ｃｍの高さ（例えば、図示の円錐体状の場合は、底部２２から切り取られた上部開口部２１までの距離）と、を有することが好ましい。さらに好ましくは、容器本体２は、９ｃｍ〜１１ｃｍの直径（外径）と、８ｃｍ〜１２ｃｍの高さと、を有することが好ましい。このような形状と寸法を採用することにより、米研ぎの際に、一般家庭で通常、入手・利用されている調理用ボールや炊飯器内釜を利用でき、この内部（収容空間）に、後述するように、余裕を持って実施例の容器本体２を収容しかつこの収容空間に充たされた水中で洗米容器１を回転・揺動させることができるようになる。
【００２１】
（蓋体の構成）
蓋体３の外側面３１には、該蓋体３、又は該蓋体３に組み付けられた状態の容器本体２、を操作するための操作ハンドル３２が設けられるとともに、蓋体３の内側面３３に米粒を受け入れて計量可能な収容部３４が設けられる（例えば、図２及び図４を参照）。実施例の収容部３４は、米一合分の容積を有するように形成されている。この収容部３４の存在により、米研ぎ用の米を計量する際に、市販の米計量カップ等を別途用意する必要が無くなる。
【００２２】
ここで、この蓋体３が容器本体２に組み付けられて上部開口部２１を閉じた状態では、蓋体３は、上部開口部２１から米粒のみならず米粒を研ぐための液体の漏出を完全に防ぐことを特徴とする。この液体（研ぎ汁）の漏出防止の観点から、蓋体３の壁は、容器本体２に設けられたような貫通スリット２４等の貫通穴を有さず、蓋体３の内部と外部との間で液体や固体を流通させない閉じた状態であることが好ましい。
【００２３】
また、蓋体３の内側面３３又は容器本体２の内壁２５に米粒を計量するための目盛（図示せず）が設置されていることが好ましい。これにより、例えば、蓋体３を使用して、一合毎に洗米する米粒を計量することができるようになる。なお、蓋体３を米粒の計量に使用せずに、容器本体２自体を米粒の計量容器としても使用できる。この場合は、蓋体３を計量容器として使用する場合に必要となる作業（つまり、蓋体３から容器本体２への計量後の米粒の投入）も不要になるため、米研ぎの作業効率がより一層高まることが期待できる。
【００２４】
（容器本体への蓋体の着脱構造）
なお、蓋体３を容器本体２に着脱自在にするための部材として公知のアタッチメント技術を採用することが可能である。実施例では、蓋体３の外側面３１の下側縁部３５付近に爪部４１が複数（図示では２つ）設けられる一方、容器本体２の側壁２３の開口縁部２７付近には、爪部４１の数に対応した数の耳部４２が設けられている。耳部４２は、爪部４１の大きさに対応した係合用スロット４３が設けられる。また、この耳部４２の一端４４は、容器本体２の側壁２３に接続されており、この一端４４を基点として他端４５が動くことができるため、耳部４２が外側に開いたり、内側に閉じたりすることができる。そして、耳部４２が内側に閉じた際に、爪部４１との係合が生じ、一方、外側に開いた際に爪部４１との係合が解除される構成となっている。
【００２５】
また、容器本体２が、前述した円筒体状又は円錐体状或いは球体状を成す場合、蓋体３の操作ハンドル３２は、この容器本体２の中心軸Ｏ上に設けられることが好ましい（図１を参照）。これにより、後述するように、米研ぎ作業の際に、操作ハンドル３２を手で握って洗米容器１を軸回転させ易くなる。図示では、操作ハンドル３２の基部３２ｂが容器本体２の中心軸Ｏ上に配置されており、操作ハンドル３２の掴み部３２ｇ，３２ｇが左右に広がるように延びている。
【００２６】
次に、本考案の洗米容器１の使用方法について説明する。
【００２７】
先ず、蓋体３の収容部３４や図示しない目盛を利用して、米研ぎに必要な米粒を計量する。次に、蓋体３で計量した米粒を上部開口部２１から容器本体２内へ投入する。そして、蓋体３を容器本体２の上部に載置し、爪部４１及び耳部４２を使用して蓋体３を容器本体２に取り付け、一体化する。さらに、この一体化した洗米容器１を、水で充たした調理用ボール又は炊飯器内釜の中に入れて水に浸す。次に、操作ハンドル３２を手で握りながら一体化した洗米容器１を回転・揺動（好ましくは、軸回転）させる。この回転・揺動は少ない動作でも、攪拌用リブ２６の周辺で水の乱流が発生するため、容器本体２内の米粒が水中で踊るように攪拌されるとともに攪拌用リブ２６や内壁２５に衝突し、米粒同士が摩擦するようになることで飛躍的な米研ぎ効果が得られる。
【００２８】
また、蓋体３は、上述のように、その内部と外部との間で液体や固体を流通させない閉じた構造の壁を有していれば、洗米容器１内の研ぎ汁が洗米容器１の上空（すなわち、ユーザーの顔面）に向かって飛散することはない。
【００２９】
そして、洗米容器１を水中から引き揚げることで、研ぎ汁の水切りも難なくかつ瞬時に行える。つまり、米研ぎの作業効率を飛躍的に向上させることができるようになる。
【００３０】
なお、以上の実施例では、本考案の容器を、米を研ぐための洗米容器として説明したが、必ずしも洗米に限定する必要は無く、調理の際に洗浄を必要とする食材（例えば、大豆や野菜）の洗浄に適用しても良い。
【産業上の利用可能性】
【００３１】
本考案の洗米容器によれば、米の計量と、米研ぎと、研ぎ汁の水切りと、の全ての機能を兼ね備えているため、米研ぎの作業効率を飛躍的に高めることができる。つまり、本考案の洗米容器によれば、同種の従来の容器が抱えていた多くの問題点を全て解消することができる。このように、本考案の洗米容器は、産業上の利用価値及び産業上の利用可能性が非常に高い。
【符号の説明】
【００３２】
１    洗米容器
２    容器本体
３    蓋体
２１    容器本体の上部開口部
２２    容器本体の底部
２３    容器本体の側壁
２４    貫通スリット
２５    容器本体の内壁
３１    蓋体の外側面
３２    操作ハンドル
３３    蓋体の内側面
３４    蓋体の収容部
Ｏ    容器本体の中心軸
【図１】
0003190093.tif 000003
【図２】
0003190093.tif 000004
【図３】
0003190093.tif 000005
【図４】
0003190093.tif 000006
【図５】
0003190093.tif 000007